(57)【要約】【課題】  ユーザが原稿種別を考慮してスキャナのモード設定をする手間を軽減し、かつ入力画像信号から最適な画像モードの画像信号を出力する。【解決手段】  特徴量計算部９６ａは、画像読取り装置１から提供される入力画像情報に基づいて、画像の特徴量を計算する。画像モード決定部９６ｂは前記特徴量計算部９６ａから提供される特徴量に基づいて、本装置から提供される出力画像情報の画像モードを決定する。読取りモード設定部９１は前記画像モード決定部９６ｂにより決定された画像モードに基づいて、前記画像読取り装置１の読取りモードを設定する。【選択図】    図２
2005278174.tif 000002
【特許請求の範囲】
【請求項１】
画像読取り装置から得られる入力画像情報を処理し、出力画像情報を提供する画像処理装置であって、
前記入力画像情報を格納する格納手段と、
前記入力画像に基づいて、画像の特徴量を計算する特徴量計算手段と、
前記特徴量計算手段から提供される特徴量に基づいて、前記出力画像情報の画像モードを決定する画像モード決定手段と、
前記画像モード決定手段により決定された画像モードに基づいて、前記格納手段に格納された前記入力画像を変換して出力する画像変換手段と、
を具備することを特徴とする画像処理装置。
【請求項２】
前記画像読取り装置に関する設定データを入力する入力手段を更に具備し、
前記画像モード決定手段は、前記特徴量計算手段から提供される特徴量と、前記入力手段から提供される設定データを用いて、前記出力画像の画像モードを決定することを特徴とする請求項１記載の画像処理装置。
【請求項３】
前記入力手段は、前記設定データとして複数ページの原稿に対して、全ページ同一の画像モードにするか、ページ毎に最適な画像モードにするかを決定するためのページ設定データを入力することを特徴とする請求項２記載の画像処理装置。
【請求項４】
前記入力手段は、前記設定データとして前記画像読取り装置の読取り画質を示す高速モード及び高画質モードを含む読取り速度設定データを入力することを特徴とする請求項２記載の画像処理装置。
【請求項５】
前記入力手段は前記設定データとして、前記画像モードの項目を設定するための画像モード設定データを入力することを特徴とする請求項２記載の画像処理装置。
【請求項６】
前記画像モードの項目は、カラーモード、解像度、カラー深度、濃度のうち少なくとも１つを含むことを特徴とする請求項５記載の画像処理装置。
【請求項７】
前記画像モード決定手段は、前記入力手段より入力された画像モード設定データに関する項目以外の項目については、前記特徴量計算手段から提供される特徴量に基づいて前記出力画像の画像モードを決定することを特徴とする請求項５記載の画像処理装置。
【請求項８】
前記特徴量計算手段から提供される特徴量と、前記入力手段により提供される前記画像モード設定データを履歴情報として保存する履歴保存手段を更に具備し、
前記画像モード決定手段は、前記特徴量計算手段から提供される特徴量と、前記履歴保存手段から提供される履歴情報に基づいて、前記出力画像情報の画像モードを決定することを特徴とする請求項５記載の画像処理装置。
【請求項９】
画像読取り装置から得られる入力画像情報を処理し、出力画像情報を提供する画像処理装置であって、
前記入力画像情報に基づいて、画像の特徴量を計算する特徴量計算手段と、
前記特徴量計算手段から提供される特徴量に基づいて、画像モードを決定する画像モード決定手段と、
前記画像モード決定手段により決定された画像モードに基づいて、前記画像読取り装置の読取りモードを設定する読取モード設定手段と、
を具備することを特徴とする画像処理装置。
【請求項１０】
前記画像読取り装置に関する設定データを入力する入力手段を更に具備し、
前記画像モード決定手段は、前記特徴量計算手段から提供される特徴量と前記入力手段から提供される設定データを用いて、前記画像読取り装置の読取りモードを決定することを特徴とする請求項９記載の画像処理装置。
【請求項１１】
原稿画像を光学的に読取り、前記原稿画像に対応する画像情報を提供する画像読取り手段と、
前記画像読取り手段から提供される前記画像情報を格納する格納手段と、
前記画像読取り手段から提供される前記画像情報に基づいて、画像の特徴量を計算する特徴量計算手段と、
前記特徴量計算手段から提供される特徴量に基づいて、画像モードを決定する画像モード決定手段と、
前記画像モード決定手段により決定された画像モードに基づいて、前記格納手段に格納された前記画像情報を変換する画像変換手段と、
前記画像変換手段により変換された画像情報に基づいて、用紙上に画像を印刷する印刷手段と、
を具備することを特徴とする画像形成装置。
【請求項１２】
前記画像モード決定手段により決定された画像モードに基づいて、前記画像読取り装置の読取りモードを設定する読取りモード設定手段を更に具備することを特徴とする請求項１１記載の画像形成装置。
【請求項１３】
前記画像読取り装置に関する設定データを入力する入力手段を更に具備し、
前記画像モード決定手段は、前記特徴量計算手段から提供される特徴量と前記入力手段から提供される設定データを用いて、前記出力画像の画像モードを決定することを特徴とする請求項１１記載の画像処理装置。
【請求項１４】
前記入力手段は、前記設定データとして複数ページの原稿に対して、全ページ同一の画像モードにするか、各ページ毎に最適な画像モードにするかを決定するためのページ設定データを入力することを特徴とする請求項１３記載の画像処理装置。
【請求項１５】
前記入力手段は、前記設定データとして前記画像読取り装置の画像読取る際の画質を示す高速モード及び高画質モードを含む読取り速度設定データを入力することを特徴とする請求項１３記載の画像形成装置。
【請求項１６】
前記入力手段は前記設定データとして、前記画像モードの項目を設定するための画像モード設定データを入力することを特徴とする請求項１２記載の画像形成装置。
【請求項１７】
前記画像モードの項目は、カラーモード、解像度、カラー深度、濃度のうち少なくとも１つを含むことを特徴とする請求項１６記載の画像処理装置。
【請求項１８】
画像読取り装置から得られる入力画像情報を処理し、出力画像情報を提供する画像処理方法であって、
前記入力画像情報を格納部に格納し、
前記格納された入力画像情報に基づいて、画像の特徴量を計算し、
前記特徴量に基づいて、前記出力画像情報の画像モードを決定し、
前記画像モードに基づいて、前記格納部に格納された前記入力画像を変換して出力することを特徴とする画像処理方法。
【発明の詳細な説明】
【技術分野】
【０００１】
この発明は、画像処理装置及び画像処理方法に係り、特にスキャナなどで原稿を画像データとして入力する際に、スキャナの各種設定を簡易かつ適切に設定するための画像処理装置及び画像処理方法に関する。
【背景技術】
【０００２】
従来のスキャナ装置で画像を読み込むときは、パソコンにインストールされたスキャナドライバやスキャナ本体のコントロールパネルから、解像度、カラーモード等を指定し、これに従い原稿を読取り、画像データを作成する。また、下記特許文献１に記載された技術のように、複数ページの１枚目に専用のマークシートやバーコードのある原稿やＯＣＲシートを読み込ませ、このマークシート・バーコードまたはＯＣＲシートの文字情報に基づいて２枚目以降を本稿として、その読取りモードを設定していた。
【０００３】
また、下記特許文献２に記載された技術によると、カラーもしくはグレースケール等の多値画像データから文字・写真などの属性をもつ領域を抽出識別することが可能である。
【特許文献１】特開特開２００２−３５４２１２号公報
【特許文献２】特開２００３−８７５６２号公報
【発明の開示】
【発明が解決しようとする課題】
【０００４】
下記特許文献１においては、１枚目に専用のマークシートやバーコードのある原稿やＯＣＲシートを読み込ませることで２枚目以降の原稿の読取りモードを設定していた。この場合、原稿の種類に応じてユーザが最適と思われる読取りモードを選択し、それに対応したマークシートやバーコードを選択する必要がある。読取りモードのパターン数が多い場合、マークシートやバーコードの選択はユーザにとって非常に手間がかかり、また、最適な読取りモードの選択が困難であると考えられる。また、下記特許文献２に記載されるように、カラーもしくはグレースケール等の多値画像データから、文字・写真などの属性をもつ領域を抽出識別する技術はあったが、その技術と上記原稿の読取りモードの設定は、全く別の技術と考えられていた。
【０００５】
本発明は、ユーザが原稿種別を考慮してスキャナのモード設定をする手間を軽減し、かつ入力画像信号から最適な画像モードの画像信号を出力することを目的とする。
【課題を解決するための手段】
【０００６】
本発明は、マークシートやバーコードを使わずにスキャナ／ＭＦＰ本体，スキャナコントローラあるいはクライアントＰＣにおいて画像特徴量を算出することで、入力の原稿に対してスキャナの読取りモードを最適に設定したり、スキャン入力後の画像を最適に変換することでユーザが望む画像信号を出力する。
【０００７】
本発明の１実施形態に係る画像処理装置は、画像読取り装置から得られる入力画像情報を処理し、出力画像情報を提供する画像処理装置であって、前記入力画像情報に基づいて、画像の特徴量を計算する特徴量計算部と、前記特徴量計算部から提供される特徴量に基づいて、前記出力画像情報の画像モードを決定する画像モード決定部と、前記画像モード決定部により決定された画像モードに基づいて、前記画像読取り装置の読取りモードを設定する読取りモード設定部を具備する。
【発明の効果】
【０００８】
ユーザが原稿種別を考慮してスキャナのモード設定をする手間を軽減し、かつ入力画像信号から最適な画像モードの画像信号を出力することが可能となる。
【発明を実施するための最良の形態】
【０００９】
以下、図面を参照して本発明の実施例を説明する。
【００１０】
図１は本発明が適用される画像形成装置の制御系の構成を概略的に表わすブロック図である。
【００１１】
この画像形成装置１００は、原稿画像を読取り原稿画像に対応する画像データを提供するスキャナ部１と、スキャナ部１からの画像データを基に、用紙に画像を形成するプリンタ部２、ユーザインターフェースを行う操作パネル３、及び操作パネル３を介して入力されるユーザ指示に基づいて画像形成装置の各部を総合的に制御する主制御部４を含む。
【００１２】
主制御部４は、メインＣＰＵ９１、ＲＯＭ９２、ＲＡＭ９３、ＮＶＭ（不揮発性メモリ）９４、共有ＲＡＭ９５、画像処理部９６、ページメモリ制御部９７、ページメモリ９８、ＨＤＤ（ハードディスクドライブ）１２１等によって構成されている。
【００１３】
ＲＯＭ９２は、本発明による制御プログラムを含む種々の制御プログラムが記憶されている。メインＣＰＵ９１はＲＡＭ９３を作業エリアとして使用し、ＲＯＭ９２に格納された制御プログラムに従って、画像形成装置を総合的に制御する。メインＣＰＵ９１はプリンタ２及びスキャナ１に動作指示を送信し、プリンタ２及びスキャナ１はメインＣＰＵ９１にステータスを返す。
【００１４】
ＮＶＭ９４は、バッテリ（図示しない）にバックアップされた不揮発性のメモリであり、電源を切った時ＮＶＭ９４上のデータを保持する。又、このＮＶＭ９４は、画像形成装置を構成する各ハードウエア要素に対するデフォルト値（初期設定値）を記憶している。共有ＲＡＭ９５は、メインＣＰＵ９１とプリンタ２との間で、双方向通信を行うために用いられる。
【００１５】
画像処理部９６はスキャナ部１等から入力される画像データに対して、スクリーン処理、トリミング、マスキング等の画像処理、及び本発明による後述の画像モードの決定及び画像特徴量の計算等を行う。
【００１６】
プリンタコントローラ９９は、パーソナルコンピュータ等の外部装置１２２からＬＡＮを介して文字コードなどのコードデータを受信する。プリンタコントローラ９９は、そのコードデータに付与されている文字サイズ及び解像度を示すデータに応じたサイズ及び解像度で、該コードデータから画像データを生成し、ページメモリ９８に記憶する。
【００１７】
ページメモリ制御部９７は、ページメモリ９８に対する画像データ記憶及び読出しを制御する。ページメモリ９８は、例えば２ページ分の画像データを記憶できる領域を有し、スキャナ部１又はプリンタコントローラ９９からの画像データを圧縮したデータを１ページ分ごとに記憶可能に構成されている。ＨＤＤ１２１は例えば多数ページの原稿画像データを記憶する必要がある場合に使用される。
【００１８】
スキャナ部１は、スキャナＣＰＵ７０、ＲＯＭ７１、ＲＡＭ７２、画像補正部７３、スキャナモータドライバ７４、ＣＣＤドライバ７５、ＣＣＤ７６を含んでいる。スキャナＣＰＵ７０はスキャナ部１を総合的に制御し、ＲＯＭ７１は制御プログラム等を記憶し、ＲＡＭ７２はデータの一時記憶用に用いられる。ＣＣＤドライバ７５はＣＣＤ７６を駆動し、スキャナモータドライバ７４は露光ランプを搬送するキャリッジ等、スキャナ部内の可動部を駆動するモータの回転を制御する。画像補正部７３はＣＣＤ７６からのアナログ信号をディジタル信号に変換するＡ／Ｄ変換回路及びＣＣＤ７６のばらつきあるいは周囲の温度変化などに起因するＣＣＤ７６からの出力信号のレベル変動を補正するためのシェーディング補正回路を含む。
【００１９】
次に、上記したような画像形成装置又は画像読取り装置（スキャナ）に適用される本発明の画像処理方法及び画像処理装置について説明する。本発明では、原稿がプレスキャンされ最適な画像モードが決定される。この画像モードに応じてスキャナの読取りモードが設定され、本スキャンが行われる。
【００２０】
図２は本発明の第１実施例に係る画像処理部９６の構成及びその入出力データを示す図である。
【００２１】
画像特徴量計算部９６ａは画像の特徴量を計算する。特徴量として、文字領域の総面積、写真領域の総面積、文字サイズの平均値、カラー画素の数、輝度最大値、輝度最小値、原稿の面積、原稿の総画素数などが計算される。画像モード決定部９６ｂは前記画像特徴量計算部９６ａにより出力された画像特徴量に基づいて、画像モードを決定する。決定される画像モードは、解像度、色数、ビット数、濃度値などを含む。
【００２２】
図３は第１実施例による処理動作の一例を示すフローチャートである。
【００２３】
先ず、書類の画像をスキャナ部１によりプレスキャンする（ステップＳＴ００１）。このときの読取り解像度は比較的低い値に設定する。
【００２４】
画像特徴量計算部９６ａは、前記スキャナ部１より出力される画像データから、文字領域の総面積、写真領域の総面積、文字サイズの平均値、カラー画素の数、輝度最大値、輝度最小値、輝度平均値、原稿の面積、原稿の総画素数等の特徴量を計算する（ステップＳＴ００２）。
【００２５】
画像モード決定部９６ｂにおいて、上記画像特徴量計算部９６ａより出力された画像特徴量を用いて、解像度、色数、カラー深度（画像データのビット数）、濃度値などの画像モードが決定される（ステップＳＴ００３）。
【００２６】
上記画像モード決定部９６ｂにより決定された通りにスキャナ部１の入力モードが設定され（ステップＳＴ００４）、本スキャンを実行する（ステップＳＴ００５）。最後に前記スキャナ部１により得られた画像を出力する。出力先としてはプリンタ部２、クライアントＰＣ又は画像サーバなどである（ステップＳＴ００６）。
【００２７】
図４は画像特徴量計算部９６ａの構成例を示す。図４において、９８はページメモリ、１０２はレイアウト解析部、１０３はカラー画素計数部、１０４は輝度値計算部、１０５は原稿サイズ算出部、１０６は画素数計数部である。ページメモリ９８は、１ラインあるいは数ライン単位で入力された画像信号をページ単位のブロックデータに変換する。レイアウト解析部１０２は図５に示すように、原稿画像から物理的あるいは論理的に連結されている文字領域又は図形領域等の各領域を抽出し、文字や写真等の文書要素を識別し、原稿画像をそれら領域により分割する。具体的な手法としては、例えば特開２００３−８７５６２号で開示されている手法を用いて、このレイアウト解析を実現してもよい。レイアウト解析部１０２は各領域の位置データ及び写真領域の総面積Ｓp ，文字サイズの最小値Ｓmin を出力する。カラー画素計数部１０３は、（Ｒ，Ｇ，Ｂ）で表される各画素の画像信号において、｜Ｒ−Ｇ｜＋｜Ｇ−Ｂ｜＋｜Ｂ−Ｒ｜＞Ｔｈ（Ｔｈはある閾値）を満たす画素をカラー画素と判断し、ページ内のカラー画素の数を計数する。輝度値計算部１０４は、ＲＧＢ画像信号を例えば次式によって示されるＹｕｖ線形変換によって輝度値Ｙに変換する。
【００２８】
Ｙ＝（０．２９９Ｒ＋０．５８７Ｇ＋０．１１４Ｂ）／２５５
輝度値計算部１０４は、ページ内における輝度最大値をＹmax ，輝度最小値をＹmin ，輝度平均値をＹave として出力する。原稿サイズ算出部１０５は、原稿の面積Ｓを出力する。画素数計数部１０６は、原稿の画素数Ｎを計算する。
【００２９】
図６は画像モード決定部９６ｂによる画像モードの決定例を示す。２０１はカラーモードの設定例、２０２は解像度の設定例、２０３はカラー深度の設定例、２０４は濃度の設定例を示している。
【００３０】
原稿をフルカラーかモノクロ（またはグレースケール）で読取るかを示すカラーモードは、例えば２０１の表に示すようにカラー画素数Ｎｃと原稿の画素数Ｎとの関係により決定される。本実施例においてはカラー画素数Ｎｃと原稿の画素数Ｎの関係がＮｃ／Ｎ＜０．２の場合は、入力原稿がモノクロ原稿であると判断され、画像モードとしてのカラーモードは”モノクロ（またはグレースケール）”と決定される。Ｎｃ／Ｎ≧０．２の場合、カラーモードは”カラー”と決定される。
【００３１】
原稿の読取り解像度は、原稿内の最小サイズの文字を読めるような解像度に設定するために、例えば、表２０２に示すように文字サイズの最小値Ｓmin(ｍｍ角)により決定される。５．６≦Ｓmin の場合は２００ｄｐｉ、４．２≦Ｓmin ＜５．６の場合は３００ｄｐｉ、２．８≦Ｓmin ＜４．２の場合は４００ｄｐｉ、Ｓmin ＜２．８の場合は６００ｄｐｉと決定される。
【００３２】
カラー深度は、原稿内の写真の有無により設定するために、例えば、表２０３に示すように写真領域の面積Ｓp と原稿の面積Ｓとの関係から決定する。Ｓp ／Ｓ＜０．２の場合は全面文字の原稿と判断し、カラー深度は１ｂｉｔに決定される。Ｓp ／Ｓ≧０．２の場合は原稿内に写真があると判断し、カラー深度は８ｂｉｔに決定される。
【００３３】
濃度は、例えば表２０４に示すように原稿の輝度平均値Ｙave から決定する。この例ではスキャナの標準（デフォルト）の濃度設定値が“４”の場合を示している。この例では、設定値の値が大きくなるほど出力画像が濃くなる。例えば、原稿画像の輝度平均値Ｙave が０≦Ｙave ≦０．１の場合（最も暗い場合）、濃度設定値を“１”と決定する。同様にして、０．１≦Ｙave ＜０．２の場合は濃度設定値を“２”、０．２≦Ｙave ＜０．４の場合は濃度設定値を“３”、０．４≦Ｙave ＜０．６の場合は濃度設定値を“４”、０．６≦Ｙave ＜０．８の場合は濃度設定値を“５”、０．８≦Ｙave ＜０．９の場合は濃度設定値を“６”、０．９≦Ｙave ≦１．０の場合（最も明るい場合）は濃度設定値を“７”と決定する。
【００３４】
このように画像モード決定部によって決定された画像モードに応じて、スキャナの読取りモード（スキャンモード）が設定され、本スキャンが行われる。本実施例では、画像モードはスキャンモードに対応する。
【００３５】
本実施例により原稿種別にかかわらずユーザがスキャンモードを設定する手間を軽減し、かつ最適なスキャンモードで原稿を読取ることが可能となる。
【００３６】
本発明による画像処理方法は、図１に示したような画像形成装置だけでなく、画像読取り装置（スキャナ）にも適用できる。図７は本発明が適用される画像読取り装置の制御系の構成例を示す。この画像読取り装置は、スキャナ制御部１ａと操作パネル５から構成されている。図１と同一の構成要素には同一の参照符号が付されている。画像処理部９６は図２のように画像特徴量計算部９６ａ及び画像モード決定部９６ｂを含む。つまり本実施例に係る画像処理装置は、画像特徴量計算部９６ａ及び画像モード決定部９６ｂを含む画像処理装置として、画像形成装置又は画像読取り装置等の装置内に、ソフトウエア又はハードウエアの構成で設けることができる。以下に示す他の実施例に係る画像処理装置も同様である。
【００３７】
（実施例２）
図８は本発明の第２実施例に係る画像処理装置の構成例を示す。
【００３８】
図２の第１実施例と同一の構成要素には同一の参照符号が付され、それら構成要素の説明は省略される。第２実施例の場合、原稿を読取ることにより得られるスキャナ部１からの画像データは、画像特徴量計算部９６ａに提供されると共にページメモリ９８に一時保存される。画像特徴量計算部９６ａは、入力された画像データを基に画像特徴量を計算する。画像モード決定部９６ｂは前記画像特徴量を基に画像モードを決定する。画像変換部９６ｃは前記画像モードに従って、ページメモリ９８に保存された画像データを変換し、変換された画像データを出力画像データとして提供する。本実施例を含め、以下に説明する実施例では、画像モードは画像変換部９６ｃの変換モードを決定する。
【００３９】
図９は上記図８に示した第２実施例に係る画像処理装置の動作の一例を示すフローチャートである。
【００４０】
先ず、書類の画像を図１のようなスキャナ部１により取り込む（ステップＳＴ１０１）。このときのスキャンモードは、読取り解像度をスキャナの光学解像度（最高解像度）、カラーモードをフルカラーモードに設定する。
【００４１】
画像特徴量計算部９６ａは、前記スキャナ部１より出力される画像データから、文字領域の総面積、写真領域の総面積、文字サイズの平均値、カラー画素の数、輝度最大値、輝度最小値、輝度平均値、原稿の面積、原稿の総画素数等の特徴量を計算する（ステップＳＴ１０２）。
【００４２】
画像モード決定部９６ｂは、上記画像特徴量計算部９６ａより出力された画像特徴量を用いて、解像度、色数、ビット数、濃度値などの画像モードを決定する（ステップＳＴ１０３）。
【００４３】
画像変換部９６ｃはページメモリ９８から提供された画像データを上記画像モード決定部９６ｂにより決定された画像モードに従って変換し（ステップＳＴ１０４）、変換された画像データを出力する。出力先としてはプリンタ部２、クライアントＰＣ、画像サーバなどである（ステップＳＴ１０５）。
【００４４】
画像変換部９６ｃによる画像変換の例を説明する。原稿画像のカラーモードが前記画像モード決定部９６ｂにより“モノクロ”と決定された場合には、例えばＧ＝（Ｒ＋Ｇ＋Ｂ）／３と変換し、“カラー”と決定された場合にはＲＧＢの値は変換されない。解像度がスキャナの光学解像度より低い値に決定されている場合は解像度変換を行う。具体的な手法として、既に公知となっているバイキュービック法などがある。カラー深度に関しては、１ｂｉｔに決定された場合は、例えばＲ≦１２８のときはＲ＝０，Ｒ＞１２８のときはＲ＝１のようにデータ変換する。同様にしてＧ≦１２８のときはＧ＝０，Ｇ＞１２８のときはＧ＝１のようにデータ変換し、Ｂ≦１２８のときはＢ＝０，Ｂ＞１２８のときはＢ＝１のようにデータ変換する。カラー深度が８ｂｉｔの場合は、ＲＧＢはそのままの値で出力する。
【００４５】
濃度設定に関しては、濃度決定値が“１”の場合は、例えばＲ’＝Ｒ×１０，Ｇ’＝Ｇ×１０，Ｂ’＝Ｂ×１０と変換する。但し、Ｒ’，Ｇ’，Ｂ’の値が２５５より大きくなった場合は値を２５５に変換する。同様にして、濃度設定値が“２”の場合はＲ’＝Ｒ×５，Ｇ’＝Ｇ×５，Ｂ’＝Ｂ×５、濃度設定値が“３”の場合はＲ’＝Ｒ×２．５，Ｇ’＝Ｇ×２．５，Ｂ’＝Ｂ×２．５、濃度設定値が“５”の場合はＲ’＝Ｒ×０．４，Ｇ’＝Ｇ×０．４，Ｂ’＝Ｂ×０．４、濃度設定値が“６”の場合はＲ’＝Ｒ×０．２，Ｇ’＝Ｇ×０．２，Ｂ’＝Ｂ×０．２、濃度設定値が“７”の場合はＲ’＝Ｒ×０．１，Ｇ’＝Ｇ×０．１，Ｂ’＝Ｂ×０．１と変換する。
【００４６】
このように画像変換部９６ｃは画像モード決定部９６ｂによって決定された画像モードになるよう入力画像データを変換する。つまり、画像モード決定部９６ｂは特徴量計算部９６ａから提供される特徴量に基づいて、出力画像情報の画像モードを決定する。
【００４７】
本実施例により、原稿種別にかかわらずユーザがスキャンモードを設定する手間を軽減し、かつ、プリスキャンレスの処理フローを構築できるので、高速に最適な画像モードで画像データを出力することが可能となる。尚、この第２実施例のように画像モード決定部９６ｂが決定した画像モードに基づいて、図２に示した第１実施例のように、スキャナ部１のスキャンモードを設定してもよい。
【００４８】
（実施例３）
図１０は本発明の第３実施例に係る画像処理装置の構成例を示す。
【００４９】
図８の第２実施例と同一の構成要素には同一の参照符号が付されている。第３実施例に係る画像処理装置の構成は、図８の第２実施例と同様であるが、画像モード決定部９６ｂには、ユーザから操作パネル３（入力手段）を介して画像読取り装置１に関するページ設定データが入力される。このページ設定データは全ページの画像モードを同一の画像モードに決定するか、又はページごとに最適な画像モードに決定するのかを示すデータである。
【００５０】
第３実施例の場合も第２実施例と同様に、スキャナ部１からの画像データは、画像特徴量計算部９６ａに提供されると共にページメモリ９８に一時保存される。画像特徴量計算部９６ａは、入力された画像データを基に画像特徴量を計算する。画像モード決定部９６ｂは前記画像特徴量を基に画像モードを決定する。画像変換部９６ｃは前記画像モードに従って、ページメモリ９８に保存された画像データを変換し、変換された画像データを出力画像データとして提供する。
【００５１】
例えば、操作パネル３によりユーザが“ページごとに最適な画像モード”を選択した場合、本画像処理装置は各ページごとに第２実施例で示した通りの処理を行い、ページ毎に画像モードを決定する。また、操作パネル３によりユーザが“全ページで同一の画像モード”を選択した場合には、例えば１ページ目の画像特徴量のみを用いて画像モード決定部により全ページの画像モードが決定される。または全ページを対象として、最小文字サイズ、輝度最大値、輝度最小値、輝度平均値、及び写真領域の総面積、カラー画素の全総数、原稿の総面積、原稿の総画素数を特徴量として抽出し、全ページを対象とした画像モードを決定してもよい。尚、図２に示した第１実施例において、このようなページ設定データを画像モード決定部が入力して、スキャナ部１のスキャンモードを対応するモードに設定してもよい。
【００５２】
本実施例により、複数ページの原稿を読取る場合でも、原稿種別にかかわらずユーザがスキャンモードを設定する手間を軽減し、かつ、最適な画像モードで画像データを出力することが可能となる。
【００５３】
（第４実施例）
次に上記第３実施例の変形例を第４実施例として説明する。第４実施例に係る画像処理装置の構成は、第３実施例と同様である。第４実施例の場合、図１０に示すように、画像モード決定部９６ｂには、ユーザから操作パネル３を介して読取り速度設定データが入力される。この読取り速度設定データはスキャナ部１が画像を読取る速度に関するデータであって、高速モード及び高画質モードが用意されている。
【００５４】
画像モード決定部９６ｂは操作パネル３から入力された読取り速度設定データと、前記画像特徴量計算部９６ａから入力された画像特徴量の両方に基づいて、画像モードを決定する。ページメモリ９８は前記スキャナ部１から出力された入力画像信号を一時保存する。画像変換部９６ｃは前記ページメモリ９８に一時保存されてから出力された入力画像データを、前記画像モード決定部９６ｂにより決定された画像モードに従って画像変換する。
【００５５】
図１１は読取り速度設定データ毎の画像モード決定部９６ｂによる決定例である。高速モードでは３０１ａ〜３０３ａように、出力画像データからできるだけ情報量を減らすために、カラーモードはモノクロ、解像度は低解像度、カラー深度は１ビットになりやすいように、条件が設定されている。反対に高画質モードでは３０１ｂ〜３０３ｂように、出力画像データから情報量を減らさないために、カラーモードはカラー、解像度は高解像度、カラー深度は８ビットになりやすいように、条件が設定されている。
【００５６】
他にもモードとしては、画像データファイルの保存後の用途別に、例えば、画面閲覧用、プリント用、メール配信用などのモードを設けてもよい。
【００５７】
本実施例により、原稿種別にかかわらずユーザがスキャンモードを設定する手間を軽減し、かつ、ユーザの簡単な入力によって、よりユーザの好みに合った最適な画像モードで画像データを出力することが可能となる。
【００５８】
（第５実施例）
次に前記第３実施例の他の変形例を第５実施例として説明する。第５実施例に係る画像処理装置の構成は、第３実施例と同様である。第５実施例の場合、図１０に示すように、画像モード決定部９６ｂには、ユーザから操作パネル３を介して画像読取り装置１に関する画像モード設定データが入力される。この画像モード設定データはカラーモード、解像度、カラー深度、濃度の画像モードの項目のうち１つまたは複数個を設定するためのデータである。例えば画像モード設定データは、”カラーモード：カラー、解像度：４００ｄｐｉ”のようなデータである。
【００５９】
画像モード決定部９６ｂは前記操作パネル３から入力された項目以外の画像モードの項目を、前記画像特徴量計算部９６ａにより出力された画像特徴量に基づいて設定する。ページメモリ９８によって、スキャナ部１からの画像データは一時保存される。画像変換部９６ｃは前記ページメモリ９８に一時保存されてから出力された画像データと前記画像モード決定部により決定された画像モードに従って画像を変換する。
【００６０】
本実施例により、原稿種別にかかわらずユーザがスキャンモードを設定する手間を軽減し、かつ、ユーザの簡単な入力によって、よりユーザの好みに合った最適な画像モードで画像データを出力することが可能となる。
【００６１】
（第６実施例）
図１２は本発明の第６実施例に係る画像処理装置の構成例を示す。第６実施例に係る画像処理装置は、前述の実施例で説明した画像特徴量計算部９６ａ、画像モード決定部９６ｂ及び画像変換部９６ｃに加えて、履歴保存部９４ａが設けられる。
【００６２】
第６実施例の場合も、画像モード決定部９６ｂには、ユーザから操作パネル３を介して画像モード設定データが入力される。履歴保存部９４ａはスキャナ部１から原稿画像データが入力された際に、画像特徴量計算部９６ａにより計算された画像特徴量と、前記入力された画像データに対応してユーザから入力された画像モード設定データとを保存する。履歴保存部９４ａは例えばＮＶＭ９４のような不揮発性メモリを用いて構成できる。尚、操作パネル３からは更に、履歴保存部９４ａに保存された履歴データを使用するか否かを示すデータを入力し、画像モード決定部９６ｂを該データに応じて設定してもよい。
【００６３】
画像モード決定部９６ｂはユーザから操作パネル３を介して、画像モードの何れかの項目が入力されている場合には、入力された項目以外の画像モードの項目を前記画像特徴量計算部により計算された画像特徴量に基づいて決定する。その他の場合、画像モード決定部９６ｂは画像特徴量と履歴情報に基づいて画像モードを決定する。
【００６４】
ページメモリ９８はスキャナ部１からの画像データを一時保存する。画像変換部９６ｃは前記ページメモリ９８に一時保存されてから出力された画像データを、前記画像モード決定部により決定された画像モードに従って変換する。
【００６５】
図１３は上記図１２に示した第６実施例に係る画像処理装置の動作の一例を示すフローチャートである。
【００６６】
先ず、書類の原稿画像をスキャナ部１により読取り（ステップＳＴ２０１）、原稿画像データをページメモリ９８に格納する。このときのスキャンモードは、読取り解像度をスキャナの光学解像度、カラーモードをフルカラーモードと設定する。
【００６７】
画像特徴量計算部９６ａは、前記スキャナ部１より出力される画像データから、文字領域の総面積、写真領域の総面積、文字サイズの平均値、カラー画素の数、輝度最大値、輝度最小値、輝度平均値、原稿の面積、原稿の総画素数等の特徴量を計算する（ステップＳＴ２０２）。
【００６８】
ユーザにより操作パネル３から画像モードに関する何らかの項目が入力されたか否かを判断する（ステップＳＴ２０３）。入力されていた場合、画像モード決定部９６ｂは、入力された項目以外の画像モードを、ステップＳＴ２０２で計算された画像特徴量を用いて決定する（ステップＳＴ２０５）。そして、ステップＳＴ２０２で計算された画像特徴量と入力された画像モードを履歴保存部９４ａに保存する（ステップＳＴ２０６）。画像変換部９６ｃは、入力された画像モード及び決定された画像モードに応じて、ページメモリ９８に格納されている画像を変換し出力する（ステップＳＴ２０４、ＳＴ２０７）。
【００６９】
操作パネル３から何の項目も入力されていなかった場合（ステップＳＴ２０３でＮｏ）、画像モード決定部９６ｂは、履歴保存部９４ａに保存されている履歴情報とステップＳＴ２０２で計算された画像特徴量から画像モードを決定する（ステップＳＴ２０４）。画像変換部９６ｃは、ステップＳＴ２０４で決定された画像モードに応じて、ページメモリ９８に格納されている画像データを変換して出力する（ステップＳＴ２０４、ＳＴ２０７）。
【００７０】
本実施例においてはユーザが何かの項目を入力した場合、それ以外の項目については画像特徴量のみを用いて画像モードを決定する例を示した。しかし、それ以外の項目についても画像特徴量と履歴情報を用いて画像モードを決定してもよい。
【００７１】
本実施例によれば、過去に類似した原稿の画像データを入力した際のユーザによる設定（画像モードの各項目）を参照することで、ユーザが原稿種別を考慮してモード設定をする手間を軽減することが可能となる。
【００７２】
以上の説明はこの発明の実施の形態であって、この発明の装置及び方法を限定するものではなく、様々な変形例を実施することができる。そのような変形例も本発明に含まれるものである。又、各実施形態における構成要素、機能、特徴あるいは方法ステップを適宜組み合わせて構成される装置又は方法も本発明に含まれるものである。
【図面の簡単な説明】
【００７３】
【図１】本発明が適用されるデジタル複写機の画像処理ブロック図の一例を示す。
【図２】本発明の第１実施例に係る画像処理装置の構成を示す。
【図３】本発明の第１実施例に係る画像処理部の構成及びその入出力データを示す。
【図４】画像特徴量計算部の構成例を示す。
【図５】レイアウト解析部の入出力画像情報の一例を示す。
【図６】画像モード決定部の決定例を示す。
【図７】本発明が適用される画像読取り装置の構成例を示す。
【図８】本発明の第２実施例に係る画像処理装置の構成例を示す。
【図９】上記図８に示した第２実施例に係る画像処理装置の動作例を説明するためのフローチャートを示す。
【図１０】本発明の第３実施例に係る画像処理装置の構成例を示す。
【図１１】読取り速度設定データ毎の画像モード決定部による決定例を示す。
【図１２】本発明の第６実施例に係る画像処理装置の構成例を示す。
【図１３】上記図１２に示した第６実施例に係る画像処理装置の動作の一例を説明するためのフローチャートを示す。
【符号の説明】
【００７４】
１…スキャナ部、２…プリンタ部、３…操作パネル、４…主制御部、９６…画像処理部
【図１】
2005278174.tif 000003
【図２】
2005278174.tif 000004
【図３】
2005278174.tif 000005
【図４】
2005278174.tif 000006
【図５】
2005278174.tif 000007
【図６】
2005278174.tif 000008
【図７】
2005278174.tif 000009
【図８】
2005278174.tif 000010
【図９】
2005278174.tif 000011
【図１０】
2005278174.tif 000012
【図１１】
2005278174.tif 000013
【図１２】
2005278174.tif 000014
【図１３】
2005278174.tif 000015